(57)【要約】【課題】音叉型水晶素子の振動漏れを抑制し、等価直列抵抗の悪化を低減することが可能な音叉型水晶素子を提供する。【解決手段】  音叉型水晶素子１２０は、結晶軸におけるＸＹ′Ｚ′直交座標系を有し、Ｚ′軸に沿った方向に厚みを有する矩形状の水晶基部１２１と、水晶基部１２１の側面よりＹ′軸に沿って延出した一対の水晶振動部１２３と、一対の水晶振動部１２３の主面及び側面に設けられた励振電極１２５、１２６と、一対の水晶振動部１２３から水晶基部にかけて設けられ励振電極１２５、１２６と電気的に接続された引き出し電極１２７と、引き出し電極１２７の近傍に、水晶基部１２１の外周縁からＹ′軸に沿って設けられた切欠き部Ｃと、を備えている。【選択図】図１
2019083435.tif 000002
【特許請求の範囲】
【請求項１】
結晶軸におけるＸＹ′Ｚ′直交座標系を有し、Ｚ′軸に沿った方向に厚みを有する矩形状の水晶基部と、
前記水晶基部の側面よりＹ′軸に沿って延出した一対の水晶振動部と、
前記一対の水晶振動部の主面及び側面に設けられた励振電極と、
前記一対の水晶振動部から前記水晶基部にかけて設けられ前記励振電極と電気的に接続された引き出し電極と、
前記引き出し電極の近傍に、前記水晶基部の外周縁からＹ′軸に沿って設けられた切欠き部と、を備えたことを特徴とする音叉型水晶素子。
【請求項２】
請求項１記載の音叉型水晶素子であって、
前記切欠き部のＹ′軸方向の長さは、前記引き出し電極のＹ′軸方向の長さに対して、５０〜８０％になるように設けられていることを特徴とする音叉型水晶素子。
【請求項３】
請求項１記載の音叉型水晶素子であって、
前記一対の水晶振動部の間に、前記水晶基部の側面よりＹ′軸に沿って延出した平衡部と、を備え、
前記平衡部のＸ軸方向の長さの中心点は、前記一対の水晶振動部の間のＸ軸方向の長さの中心点を通り、Ｙ′軸方向に平行な基準直線Ｌ１に対して、前記平衡部のＸ軸方向の長さの中心が＋Ｘ軸方向に位置していることを特徴とする音叉型水晶素子。
【請求項４】
請求項３記載の音叉型水晶素子であって、
前記平衡部は、少なくとも二つ以上の突出部によって構成されていることを特徴とする音叉型水晶素子。
【請求項５】
請求項４記載の音叉型水晶素子であって、
前記突出部の近傍に第一残渣部が設けられていることを特徴とする音叉型水晶素子。
【請求項６】
請求項１記載の音叉型水晶素子であって、
前記水晶基部の前記水晶振動部が延出されている形成面に対して、前記水晶振動部と同一方向に延出するようにして設けられた凸部を備えていることを特徴とする音叉型水晶素子。
【請求項７】
請求項１記載の音叉型水晶素子であって、
前記凸部が、前記水晶基部の外側側面とつながる平面と、前記平面と接続され前記形成面に向かって形成された傾斜面と、を備えていることを特徴とする音叉型水晶素子。
【請求項８】
請求項７記載の音叉型水晶素子であって、
前記傾斜面と、前記水晶振動部の外側側面との間に設けられた第二残渣部とを備えていることを特徴とする音叉型水晶素子。
【請求項９】
請求項１記載の音叉型水晶素子であって、
前記引き出し電極に設けられた溝部を備えていることを特徴とする音叉型水晶素子。
【請求項１０】
請求項１記載の音叉型水晶素子と、
前記音叉型水晶素子を実装するための電極パッドを有する基板と、
前記基板の上面の外周縁に沿って設けられた枠体と、
前記枠体の上面に接合された蓋体と、を備えたことを特徴とする水晶デバイス。
【発明の詳細な説明】
【技術分野】
【０００１】
本発明は、電子機器等に用いられる音叉型水晶素子及びその音叉型水晶素子を用いた水晶デバイスに関するものである。
【背景技術】
【０００２】
水晶デバイスは、音叉型水晶素子の圧電効果を利用して、特定の周波数を発生させるものである。例えば、基板と、凹部を設けるために基板の上面に枠体とを有しているパッケージと、基板の上面に設けられた電極パッドに実装された音叉型水晶素子と、を備えた水晶デバイスが知られている（例えば、下記特許文献１参照）
【先行技術文献】
【特許文献】
【０００３】
【特許文献１】特開２０１２−１１９９２０号公報
【発明の開示】
【発明が解決しようとする課題】
【０００４】
上述した音叉型水晶素子は、小型化が顕著であるため、水晶振動部と、水晶基部に設けられた引き出し電極との距離も短くなるため、振動漏れが発生し、等価直列抵抗が悪化してしまう虞があった。
【０００５】
本発明は前記課題に鑑みてなされたものであり、音叉型水晶素子の振動漏れを抑制し、等価直列抵抗の悪化を低減することが可能な音叉型水晶素子を提供することを課題とする。
【課題を解決するための手段】
【０００６】
本発明の一つの態様による音叉型水晶素子は、結晶軸におけるＸＹ′Ｚ′直交座標系を有し、Ｚ′軸に沿った方向に厚みを有する矩形状の水晶基部と、水晶基部の側面よりＹ′軸に沿って
延出した一対の水晶振動部と、一対の水晶振動部の主面及び側面に設けられた励振電極と、一対の水晶振動部から水晶基部にかけて設けられ励振電極と電気的に接続された引き出し電極と、引き出し電極の近傍に、水晶基部の外周縁からＹ′軸に沿って設けられた切欠き部と、を備えている。
【発明の効果】
【０００７】
本発明の一つの態様による音叉型水晶素子は、結晶軸におけるＸＹ′Ｚ′直交座標系を有し、Ｚ′軸に沿った方向に厚みを有する矩形状の水晶基部と、水晶基部の側面よりＹ′軸に沿って延出した一対の水晶振動部と、一対の水晶振動部の主面及び側面に設けられた励振電極と、一対の水晶振動部から水晶基部にかけて設けられ励振電極と電気的に接続された引き出し電極と、引き出し電極の近傍に、水晶基部の外周縁からＹ′軸に沿って設けられた切欠き部と、を備えている。このような音叉型水晶素子は、引き出し電極が切欠き部で間隔が開けられた水晶基部の下側両端に設けられていることで、音叉型水晶素子の水晶振動部と導電性接着剤で保持されている箇所との距離が長くなり、水晶振動部と引き出し電極との間の振動の状態を減衰させることができ、水晶振動部から引き出し電極への振動漏れを低減するとともに、導電性接着剤が接触している部分である引き出し電極から水晶振動部への振動阻害を低減することが可能となる。
【図面の簡単な説明】
【０００８】
【図１】第一実施形態に係る音叉型水晶素子を示す斜視図である。
【図２】（ａ）第一実施形態に係る音叉型水晶素子を示す上面から見た平面図であり、（ｂ）第一実施形態に係る音叉型水晶素子を示す下面から見た平面図である。
【図３】図２（ａ）のＡ部分拡大図である。
【図４】（ａ）第一実施形態に係る音叉型水晶素子の水晶片を示す平面図であり、（ｂ）図４（ａ）のＸ部分拡大図である。
【図５】第二実施形態に係る水晶デバイスの分解斜視図である。
【図６】図５のＢ−Ｂ断面図である。
【発明を実施するための形態】
【０００９】
（第一実施形態）  第一実施形態における音叉型水晶素子１２０は、図１に示すように、水晶基部１２１、平衡部１２２及び水晶振動部１２３からなる水晶片により構成されている。音叉型水晶素子１２０の表面には、図２に示すように、励振電極１２５ａ、１２５ｂ、１２６ａ及び１２６ｂと、引き出し電極１２７ａ及び１２７ｂと、錘部１２８及び周波数調整電極１２９とにより構成されている。
【００１０】
水晶基部１２１は、後述する水晶振動部１２３及び平衡部１２２を支持し、音叉型水晶素子１２０をパッケージ１１０上に保持固定するためのものである。水晶基部１２１は、結晶の軸方向として電気軸がＸ軸、機械軸がＹ軸、及び光軸がＺ軸となる直交座標系としたとき、Ｘ軸回りに−５°〜＋５°の範囲内で回転させたＺ′軸の方向が厚み方向となる平面視略四角形の平板である。
【００１１】
平衡部１２２は、音叉型水晶素子１２０を形成させる際に発生した水晶振動部１２３の左右の重さのアンバランスを平衡部１２２の形成位置によって調整するためのものである。また、平衡部１２２は、水晶振動部１２３の間の形成位置によって、水晶振動部１２３の左右の重さのバランスをさらに調整することができるようになるため、振動漏れをさらに抑えることができる。
【００１２】
また、平衡部１２２は、図３に示すように、水晶基部１２１の形成面ＳＰからＹ′軸方向に延出するようにして設けられている。平衡部１２２のＸ軸方向の長さの中心点Ｐ２は、一対の水晶振動部１２３の間のＸ軸方向の長さの中心点Ｐ１を通り、Ｙ′軸方向に平行な基準直線Ｌ１に対して、＋Ｘ軸方向に位置している。このように平衡部１２２を基準直線Ｌ１に対して＋Ｘ軸方向に離れるようにして配置されることで、水晶振動部１２３の左右の重さのアンバランスを調整することができるので、音叉型水晶素子１２０の等価直列抵抗値を下げることが可能となる。
【００１３】
また、後述する第一突出部Ｅ１と第二突出部Ｅ２の間の中心点Ｐ２を通り、Ｙ′軸方向に平行な基準直線Ｌ２は、基準直線Ｌ１に対して、＋Ｘ軸方向に０．５〜１．５μｍの離れた位置に設けられている。このようにすることにより、第一突出部Ｅ１と第二突出部Ｅ２の間の中心点Ｐ２を通り、Ｙ′軸方向に平行な基準直線Ｌ２が、基準直線Ｌ１に対して＋Ｘ軸方向に０．５〜１．５μｍ離れるようにして配置されることで、水晶振動部１２３の左右の重さのアンバランスをさらに調整することができるので、音叉型水晶素子１２０の等価直列抵抗値を下げることが可能となる。
【００１４】
平衡部１２２は、少なくとも二つ以上の突出部Ｅによって構成されている。平衡部１２２には、図３に示すように、第一突出部Ｅ１、第二突出部Ｅ２及び第三突出部Ｅ３の突出部Ｅが設けられている。第一突出部Ｅ１は、第一水晶振動部１２３ａに隣り合うようにして設けられ、水晶振動部１２３と同一方向に延出するようにして設けられている。また、第一水晶振動部１２３ａの根本から第一突出部Ｅ１にかけて傾斜面が形成されている。第二突出部Ｅ２は、第一突出部Ｅ１に隣り合うようにして設けられ、水晶振動部１２３と同一方向に延出するようにして設けられている。第三突出部Ｅ３は、第二突出部Ｅ２と第二水晶振動部１２３ｂに間に位置するようにして設けられ、水晶振動部１２３と同一方向に延出するようにして設けられている。このように、平衡部１２２が、少なくとも二つ以上の突出部Ｅによって構成されていることによって、後述する第一切込み部Ｍ１又は第二切込み部Ｍ２を確実に形成することができるため、第一水晶振動部１２３ａの側面の励振用電極１２６ｂと第二水晶振動部１２３ｂの側面に設けられた励振用電極１２６ａとの短絡を低減することが可能となる。
【００１５】
第一切込み部Ｍ１は、第一水晶振動部１２３ａと第二水晶振動部１２３ｂとからなる水晶振動部１２３の側面に励振用電極１２６をスパッタ技術及びフォトリソグラフィー技術にて形成する際に、第一水晶振動部１２３ａの側面の励振用電極１２６ｂと第二水晶振動部１２３ｂの側面に設けられた励振用電極１２６ａとの短絡を低減するためのものである。第一切込み部Ｍ１は、第一突出部Ｅ１と第二突出部Ｅ２との間に設けられており、この第一切込み部Ｍ１は、平衡部１２２の厚み方向に貫通している。また、第一切込み部Ｍ１のＹ軸方向の長さは、先端側から水晶基部１２１の境目までの間で形成されれば、どの長さでも良い。
【００１６】
第二切込み部Ｍ２は、第二突出部Ｅ２と第三突出部Ｅ３との間に設けられており、この第二切込み部Ｍ２は、平衡部１２２の厚み方向であるＺ´軸方向に貫通している。また、第二切込み部Ｍ２のＹ軸方向の長さは、第一切込み部Ｍ１のＹ軸方向の長さよりも短くなるように設けられている。また、第二切込み部Ｍ２のＹ軸方向の長さは、第三突出部Ｅ３の先端側から水晶基部１２１の境目までの間で形成されれば、どの長さでも良い。
【００１７】
第一残渣部Ｒ１は、突出部Ｅの近傍に設けられており、第一水晶振動部１２３ａと第一突出部Ｅ１との間及び第二水晶振動部１２３ｂと第三突出部Ｅ３との間に設けられている。第一残渣部Ｒ１が形成されることで、第一水晶振動部１２３ａと第二水晶振動部１２３ｂの左右の重さのアンバランスを調整することができるので、音叉型水晶素子１２０の等価直列抵抗値を下げることが可能となる。
【００１８】
水晶基部１２１の水晶振動部１２３が延出されている形成面に対して、水晶振動部１２３と同一方向に延出するようにして設けられた凸部Ｔを備えている。このように音叉型水晶素子１２０を励振させる際に発生した水晶振動部１２３の左右の重さのアンバランスを凸部Ｔによって調整することで、振動漏れを抑えることができ、等価直列抵抗の悪化を低減することが可能となる。
【００１９】
凸部Ｔは、図４に示すように、水晶基部１２１の外側側面とつながる平面Ｓ１と、その平面Ｓ１と接続され形成面ＳＰに向かって形成された傾斜面Ｓ２と、を備えている。傾斜面Ｓ２は、水晶基部１２１の外側側面から延出するようにして設けられた平面Ｓ１から形成面ＳＰに向かって傾斜を持つようにして設けられている。このような傾斜面Ｓ２を凸部Ｔに設けることによって、凸部Ｔによる左右の重さのバランスをさらに調整することができるようになるため、振動漏れをさらに抑えることができる。
【００２０】
また、凸部Ｔには、図４に示すように、傾斜面Ｓ２と、水晶振動部１２３の外側側面との間に設けられた第二残渣部Ｒ２とを備えている。このように傾斜面Ｓ２から水晶振動部１２３の外側側面に向かって厚みが徐々に薄くなるように第二残渣部Ｒ２が設けられていることで、水晶振動部１２３からの振動漏れが、第二残渣部Ｒ２で徐々に妨げられることになる。よって、水晶振動部１２３から水晶基部１２１への振動漏れが伝わることを抑えることができる。
【００２１】
また、図４（ｂ）に示すように、平面視した際に、傾斜面Ｓ２と形成面ＳＰの平面とでなす角度αが、５０〜７０度である。傾斜面Ｓ２の角度αが５０度〜７０度の範囲内で良好にエッチングされており、特に５５度〜６５度の範囲内で特に良好である。これに対して、傾斜面Ｓの角度αが５０度未満の場合には、第二残渣部Ｒ２の厚みが薄くなりすぎるため、第二残渣部Ｒ２に欠けが生じてしまい水晶振動部１２３の左右の重量バランスを崩してしまうことで、振動漏れが発生してしまうことがあった。また、これに対して、傾斜面Ｓ２の角度αが７０度よりも大きいの場合には、第二残渣部Ｒ２の厚みが厚くなりすぎるため、水晶振動部１２３の左右の重量バランスを崩してしまうことで、振動漏れが発生してしまうことがあった。このように傾斜面Ｓ２の角度αが５０度〜７０度の範囲内にすることで、第二残渣部Ｒ２の結晶軸であるＺ軸方向の厚みを薄くすることでできるため、振動漏れによる特性への影響を非常に安定させることができる。
【００２２】
水晶振動部１２３は、例えば、その表面に所望のパターンの励振電極１２５、１２６を形成し、その励振電極１２５、１２６に電位を印加することにより、所望の周波数の振動を励起するためのものである。水晶振動部１２３は、振動腕部１２４と錘部１２８によって構成されている。振動腕部１２４の先端部、つまり、水晶基部１２１と反対側の振動腕部１２４の端部に、ハンマーヘッド形状の錘部１２８が設けられている。また、水晶振動部１２３は、第一水晶振動部１２３ａ及び第二水晶振動部１２３ｂとからなる。第一水晶振動部１２３ａ及び第二水晶振動部１２３ｂは、水晶基部１２１の一辺からＹ′軸の方向に平行に延設されている。また、振動腕部１２４は、第一振動腕部１２４ａ及び第二振動腕部１２４ｂによって構成されている。このような音叉型水晶素子１２０を構成する水晶片は、水晶基部１２１、平衡部１２２及び水晶振動部１２３と一体となって音叉形状を成しており、フォトリソグラフィー技術と化学エッチング技術により製造される。
【００２３】
励振電極１２５ａは、図２に示すように、第一水晶振動部１２３ａの第一振動腕部１２４ａの表裏主面に設けられている。また、励振電極１２６ｂは、第一水晶振動部１２３ａの第一振動腕部１２４ａの対向する両側面に設けられている。一方の引き出し電極１２７ａは、励振電極１２５ａ、１２６ａと電気的に接続されており、水晶基部１２１の表裏主面に設けられている。
【００２４】
また、励振電極１２５ｂは、図１及び図２に示すように、第二水晶振動部１２３ｂの第二振動腕部１２４ｂの表裏主面に設けられている。また、励振電極１２６ａは、第二水晶振動部１２３ｂの第二振動腕部１２４ｂの対向する両側面に設けられている。他方の引き出し電極１２７ｂは、励振電極１２５ｂ、１２６ｂと電気的に接続されており、水晶基部１２１の表裏主面に設けられている。
【００２５】
引き出し電極１２７は、励振電極１２５、１２６と電気的に接続されており、音叉型水晶素子１２０を実装する際に用いるものである。引き出し電極１２７には、溝部Ｇが設けられている。このようにすることによって、水晶振動部１２３から引き出し電極１２７までに伝わる漏れ振動を溝部Ｇで妨げることによって、音叉型水晶素子１２０を後述するパッケージ１１０に実装する際に、等価直列抵抗が悪化することを抑えることができる。
【００２６】
切欠き部Ｃは、水晶振動部１２３から引き出し電極１２７への振動漏れを低減するとともに、導電性接着剤１４０が接触している部分である引き出し電極１２７から水晶振動部１２３への振動阻害を低減するためのものである。切欠き部Ｃは、引き出し電極１２７の近傍に、水晶基部１２１の外周縁からＹ′軸方向に向かって設けられている。このように切欠き部Ｃが設けられていることによって、水晶振動部１２３からの振動漏れが切欠き部Ｃで遮られることで、引き出し電極１２７への振動漏れを低減することができる。また、導電性接着剤１４０が接触している部分である引き出し電極１２７が切欠き部Ｃで水晶基部より分断されることで、水晶振動部１２３への振動阻害を低減することができる。
【００２７】
また、切欠き部Ｃは、第一切欠き部Ｃ１及び第二切欠き部Ｃ２によって構成されている。第一切欠き部Ｃ１は、第一引き出し電極１２７ａの近傍で、水晶基部１２１の外周縁からＹ′軸方向に向かって設けられている。また、第二切欠き部Ｃ２は、第二引き出し電極１２７ｂの近傍で、水晶基部１２１の外周縁からＹ′軸方向に向かって設けられている。
【００２８】
また、切欠き部ＣのＹ′軸方向の長さは、引き出し電極１２７のＹ′軸方向の長さに対して、５０〜８０％になっている。切欠き部ＣのＹ′軸方向の長さが、引き出し電極１２７のＹ′軸方向の長さの５０％よりも短い場合には、仮に導電性接着剤１４０が引き出し電極１２７から切欠き部Ｃにはみ出すように付着した場合に、切欠き部Ｃ内を導電性接着剤１４０で満たされることで、水晶振動部１２３からの振動漏れが切欠き部Ｃで遮られることが抑えられ、引き出し電極１２７への振動漏れを十分に低減することができない虞があった。また、切欠き部ＣのＹ′軸方向の長さが、引き出し電極１２７のＹ′軸方向の長さの８０％よりも長い場合には、落下した際に、切欠き部Ｃを起点にして、引き出し電極１２７が形成された水晶基部１２１の箇所が割れてしまう虞があった。よって、切欠き部ＣのＹ′軸方向の長さは、引き出し電極１２７のＹ′軸方向の長さに対して、５０〜８０％になっていることで、引き出し電極１２７への振動漏れを十分に低減することができ、落下した際に、切欠き部Ｃを起点にして、引き出し電極１２７が形成された水晶基部１２１の箇所が割れてしまうことを低減することができる。
【００２９】
錘部１２８は、水晶基部１２１と反対側の水晶振動部１２３の端部に、ハンマーヘッド形状で設けられている。錘部１２８は、水晶振動部１２３で生じる屈曲振動の周波数を調整するためのものである。具体的には、錘部１２８を設けることで、水晶振動部１２３の先端側へ錘を設けた状態に近づけることができるため、水晶振動部１２３で生じる屈曲振動の周波数を、錘部１２８がない場合と比較して低くなるようにすることができ、水晶振動部１２３で生じる屈曲振動の周波数を所望の周波数となるように調整している。また、錘部１２８は、第一水晶振動部１２３ａの先端部に設けられている第一錘部１２８ａと、第二水晶振動部１２３ｂの先端部に設けられている第二錘部１２８ｂとで構成されている。
【００３０】
第三切込み部Ｍ３は、錘部１２８に設けられ、錘部１２８の表面積を大きくし、錘部１２８に形成された後述する周波数調整電極１２９の表面積を大きくするためのものである。また、第三切込み部Ｍ３は、平面視した際に、錘部１２８の水晶基部１２１側に位置する辺から水晶振動部１２３の延出方向に沿って設けられている。このようにすることにより、振動腕部１２４と錘部１２８との境界付近に形成される残渣が、第三切込み部Ｍ３によって形成されにくくなるため、音叉型水晶素子１２０の形状を維持することができる。また、このように錘部１２８の水晶基部１２１側に第三切込み部Ｍ３を形成することにより、周波数調整電極１２９をレーザにより除去する際に、第三切込み部Ｍ３がレーザにより削り取られることなく、錘部１２８の重さをさらに微調整することができる。
【００３１】
周波数調整電極１２９は、レーザ等により削ることにより、水晶振動部１２３で生じる屈曲振動の周波数を所望の周波数となるように調整するためのものである。周波数調整電極１２９は、第一周波数調整電極１２９ａ及び第二周波数調整電極１２９ｂによって構成されている。第一周波数調整電極１２９ａは、第一錘部１２８ａの表主面及び側面の先端部に設けられ、第二周波数調整電極１２９ｂは、第二錘部１２８ｂの表主面及び両側面の先端部に設けられている。
【００３２】
なお、音叉型水晶素子１２０は、周波数調整電極１２９を構成する金属の量を増減させることにより、その周波数値を所望する値に調整することができる。励振電極１２５ｂ及び１２６ｂと、第一周波数調整電極１２９ａとは、図２に示すように、水晶片表面に設けられた引き出し電極１２７ｂにより電気的に接続している。また、励振電極１２５ａ及び１２６ａと、第二周波数調整電極１２９ｂとは、水晶基部１２１表面に設けられた引き出し電極１２７ａにより電気的に接続している。
【００３３】
この音叉型水晶素子１２０を振動させる場合、引き出し電極１２７ａ及び１２７ｂに交番電圧を印加する。印加後のある電気的状態を瞬間的にとらえると、第二水晶振動部１２３ｂの励振電極１２６ｂは＋（プラス）電位となり、励振電極１２６ａは−（マイナス）電位となり、＋から−に電界が生じる。一方、このときの第一水晶振動部１２３ａの励振電極１２６は、第二水晶振動部１２３ｂの励振電極１２６に生じた極性とは反対の極性となる。これらの印加された電界により、第一水晶振動部１２３ａ及び第二水晶振動部１２３ｂに伸縮現象が生じ、各水晶振動部１２３に設定した共振周波数の屈曲振動を得る。
【００３４】
水晶片を平面視したときの長辺寸法が０．８〜１．２ｍｍであり、平面視したときの短辺寸法が０．２〜０．７ｍｍである場合を例にして、水晶基部１２１、水晶振動部１２３を説明する。水晶基部１２１を平面視したときの長辺寸法が０．２〜０.４ｍｍであり、平面視したときの短辺寸法が０．２〜０．４ｍｍである。水晶振動部１２３を平面視したときの長辺寸法が０．６〜０．９ｍｍであり、平面視したときの短辺寸法が０．０３〜０．２ｍｍである。
【００３５】
ここで、音叉型水晶素子１２０の動作について説明する。音叉型水晶素子１２０は、外部からの交番電圧が引き出し電極１２７から励振電極１２５、１２６を介して水晶振動部１２３に印加されると、水晶振動部１２３が所定の振動モード及び周波数で励振を起こすようになっている。
【００３６】
ここで、音叉型水晶素子１２０の作製方法について説明する。まず、音叉型水晶素子１２０は、人工水晶体から所定のカットアングルで切断し、水晶片の両主面にフォトリソグラフィー技術によって、水晶基部１２１、水晶振動部１２３及び水晶支持部１２４を形成する。その後、フォトリソグラフィー技術、蒸着技術又はスパッタリング技術によって、金属膜を被着させることにより、励振電極１２５、１２６及び引き出し電極１２７を形成することにより作製される。
【００３７】
本実施形態に係る音叉型水晶素子１２０は、結晶軸におけるＸＹ′Ｚ′直交座標系を有し、Ｚ′軸に沿った方向に厚みを有する矩形状の水晶基部１２１と、水晶基部１２１の側面よりＹ′軸に沿って延出した一対の水晶振動部１２３と、一対の水晶振動部１２３の主面及び側面に設けられた励振電極１２５、１２６と、一対の水晶振動部１２３から水晶基部１２１にかけて設けられ励振電極１２５、１２６と電気的に接続された引き出し電極１２７と、引き出し電極１２７の近傍に、水晶基部１２１の外周縁からＹ′軸に沿って設けられた切欠き部Ｃと、を備えている。このような音叉型水晶素子１２０は、引き出し電極１２７が切欠き部Ｃで間隔が開けられた水晶基部１２１の下側両端に設けられていることで、音叉型水晶素子１２０の水晶振動部１２３と導電性接着剤１４０で保持されている箇所との距離が長くなり、水晶振動部１２３と引き出し電極１２７との間の振動の状態を減衰させることができ、水晶振動部１２３から引き出し電極１２７への振動漏れを低減するとともに、導電性接着剤１４０が接触している部分である引き出し電極１２７から水晶振動部１２３への振動阻害を低減することが可能となる。
【００３８】
切欠き部ＣのＹ′軸方向の長さは、引き出し電極１２７のＹ′軸方向の長さに対して、５０〜８０％になっている。よって、切欠き部ＣのＹ′軸方向の長さは、引き出し電極１２７のＹ′軸方向の長さに対して、５０〜８０％になっていることで、引き出し電極１２７への振動漏れを十分に低減することができ、落下した際に、切欠き部Ｃを起点にして、引き出し電極１２７が形成された水晶基部１２１の箇所が割れてしまうことを低減することができる。
【００３９】
一対の水晶振動部１２３の間に、水晶基部１２１の側面よりＹ′軸に沿って延出した平衡部１２２と、を備え、平衡部１２２のＸ軸方向の長さの中心点は、一対の水晶振動部１２３の間のＸ軸方向の長さの中心点を通り、Ｙ′軸方向に平行な基準直線Ｌ１に対して、平衡部１２２のＸ軸方向の長さの中心が＋Ｘ軸方向に位置している。このように音叉型水晶素子１２０を励振させる際に発生した水晶振動部１２３の左右の重さのアンバランスを平衡部１２２の形成位置によって調整することで、振動漏れを抑えることができ、等価直列抵抗の悪化を低減することが可能となる。
【００４０】
また、本実施形態に係る音叉型水晶素子１２０は、突出部Ｅの近傍に第一残渣部Ｒ１が設けられている。第一残渣部Ｒ１が形成されることで、第一水晶振動部１２３ａと第二水晶振動部１２３ｂの左右の重さのアンバランスを調整することができるので、音叉型水晶素子１２０の等価直列抵抗値を下げることが可能となる。
【００４１】
本実施形態に係る音叉型水晶素子１２０は、水晶基部１２１の水晶振動部１２３が延出されている形成面に対して、水晶振動部１２３と同一方向に延出するようにして設けられた凸部Ｔを備えている。このように音叉型水晶素子１２０を励振させる際に発生した水晶振動部１２３の左右の重さのアンバランスを凸部Ｔによって調整することで、振動漏れを抑えることができ、等価直列抵抗の悪化を低減することが可能となる。
【００４２】
本実施形態に係る音叉型水晶素子１２０は、凸部Ｔが、水晶基部１２１の外側側面とつながる平面Ｓ１と、平面と接続され形成面ＳＰに向かって形成された傾斜面Ｓ２と、を備えている。凸部Ｔに、このような傾斜面Ｓ２を設けることによって、凸部Ｔによる水晶振動部１２３の左右の重さのバランスをさらに調整することができるようになるため、振動漏れをさらに抑えることができる。
【００４３】
本実施形態に係る音叉型水晶素子１２０は、傾斜面Ｓ２と、水晶振動部１２３の外側側面との間に設けられた第二残渣部Ｒ２とを備えている。このように傾斜面Ｓ２から水晶振動部１２３の外側側面に向かって厚みが徐々に薄くなるように第二残渣部Ｒ２が設けられていることで、水晶振動部１２３からの振動漏れが、第二残渣部Ｒ２で徐々に妨げられることになる。よって、水晶振動部１２３から水晶基部１２１への振動漏れが伝わることを抑えることができる。
【００４４】
本実施形態に係る音叉型水晶素子１２０は、引き出し電極１２７に設けられた溝部Ｇを備えている。このようにすることによって、水晶振動部１２３から引き出し電極１２７までに伝わる漏れ振動を溝部Ｇで妨げることによって、音叉型水晶素子１２０をパッケージ１１０に実装する際に、等価直列抵抗が悪化することを抑えることができる。
【００４５】
（第二実施形態）  第二実施形態に係る水晶デバイスは、図５及び図６に示されているように、パッケージ１１０と、パッケージ１１０の上面に実装された音叉型水晶素子１２０とを含んでいる。パッケージ１１０は、基板１１０ａ及び第一枠体１１０ｂによって構成されている。基板１１０ａと第一枠体１１０ｂとで凹部Ｋ１が形成されている。また、音叉型水晶素子１２０には、水晶基部１２１及び水晶振動部１２３が設けられている。このような水晶デバイスは、電子機器等で使用する基準信号を出力するのに用いられる。
【００４６】
基板１１０ａは、矩形状であり、上面に音叉型水晶素子１２０を実装するための実装部材として機能するものである。基板１１０ａは、上面に、音叉型水晶素子１２０を実装するための電極パッド１１１が設けられている。また、基板１１０ａの長辺側の一辺に沿って、音叉型水晶素子１２０を接合するための第一電極パッド１１１ａ及び第二電極パッド１１１ｂが設けられている。
【００４７】
基板１１０ａは、例えばアルミナセラミックス又はガラス−セラミックス等のセラミック材料である絶縁層からなる。基板１１０ａは、絶縁層を一層用いたものであっても、絶縁層を複数層積層したものであってもよい。基板１１０ａの表面及び内部には、上面に設けられた電極パッド１１１と、基板１１０ａの下面に設けられた外部端子１１２とを電気的に接続するための配線パターン及びビア導体が設けられている。
【００４８】
第一枠体１１０ｂは、基板１１０ａの上面の外周縁に沿って配置され、基板１１０ａの上面に凹部Ｋ１を形成するためのものである。凹部Ｋ１の開口部は、平面視した際に、矩形状となっている。第一枠体１１０ｂは、例えばアルミナセラミックス又はガラス−セラミックス等のセラミック材料からなり、基板１１０ａと一体的に形成されている。凹部Ｋ１は、後述する音叉型水晶素子１２０を実装するためのものである。
【００４９】
基板１１０ａの下面の四隅には、外部端子１１２が設けられている。また、四つの外部端子１１２の内の二つが、音叉型水晶素子１２０と電気的に接続されている。また、音叉型水晶素子１２０と電気的に接続されている第一外部端子１１２ａ及び第二外部端子１１２ｂは、基板１１０ａの下面の対角に位置するように設けられている。
【００５０】
電極パッド１１１は、音叉型水晶素子１２０を実装するためのものである。電極パッド１１１は、第一枠体１１０ｂの上面に一対で設けられており、第一枠体１１０ｂの一辺に沿うように隣接して設けられている。電極パッド１１１は、図４及び図５に示されているように第一枠体１１０ｂ及び基板１１０ａの上面に設けられた配線パターン１１３とビア導体１１４を介して、基板１１０ａの下面に設けられた外部端子１１２と電気的に接続されている。
【００５１】
電極パッド１１１は、図５に示すように、第一電極パッド１１１ａ及び第二電極パッド１１１ｂによって構成されている。また、電極パッド１１１の算術平均表面粗さは、０．０２〜０．１０μｍであり、基板１１０ａ表面の算術平均表面粗さは、０．５〜１．５μｍである。
【００５２】
外部端子１１２は、電子機器等の実装基板（図示せず）と電気的に接合するために用いられる。外部端子１１２は、基板１１０ａの下面の四隅に設けられている。外部端子１１２の内の二つの端子は、基板１１０ａの上面に設けられた一対の電極パッド１１１とそれぞれ電気的に接続されている。また、残りの外部端子の１１２の内の少なくとも一つは、封止用導体パターン１１７と電気的に接続されている。
【００５３】
ここでパッケージ１１０を平面視したときの一辺の寸法が、０．８〜３．２ｍｍであり、パッケージ１１０の上下方向の寸法が、０．２〜１．５ｍｍである場合を例にして、電極パッド１１１の大きさを説明する。基板１１０ａの一辺と平行となる電極パッド１１１の辺の長さは、０．１５〜０．４０ｍｍとなる。また、基板１１０ａの一辺と交わる辺と平行となる電極パッド１１１の辺の長さは、０．１５〜０．４０ｍｍとなる。電極パッド１１１の上下方向の厚みの長さは、１０〜５０μｍとなる。
【００５４】
封止用導体パターン１１７は、蓋体１３０と接合部材１３１を介して接合する際に、接合部材１３１の濡れ性をよくする役割を果たしている。封止用導体パターン１１７は、枠体１１０ｂの上面を囲むようにして設けられている。封止用導体パターン１１７は、例えばタングステン又はモリブデン等から成る導体パターンの表面にニッケルメッキ及び金メッキを順次、枠体１１０ｂの上面を環状に囲む形態で施すことによって、例えば１０〜２５μｍの厚みに形成されている。
【００５５】
蓋体１３０は、例えば、鉄、ニッケル又はコバルトの少なくともいずれかを含む合金からなる。このような蓋体１３０は、真空状態にある凹部Ｋ１又は窒素ガスなどが充填された凹部Ｋ１を気密的に封止するためのものである。具体的には、蓋体１３０は、所定雰囲気で、パッケージ１１０の枠体１１０ｂ上に載置され、枠体１１０ｂの封止用導体パターン１１７と蓋体１３０の接合部材１３１とが接合されるように熱を印加させることで接合部材１３１を溶融し、枠体１１０ｂに接合される。また、蓋体１３０は、封止用導体パターン１１７を介して基板１１０ａの下面の少なくとも一つの外部端子１１２に電気的に接続されている。よって、蓋体１３０は、少なくとも一つの外部端子１１２と電気的に接続されている。
【００５６】
接合部材１３１は、パッケージ１１０の枠体１１０ｂ上面に設けられた封止用導体パターン１１７に相対する蓋体１３０の箇所に設けられている。接合部材１３１は、例えば、銀ロウ又は金錫によって設けられている。銀ロウの場合は、その厚みは、１０〜２０μｍである。例えば、成分比率は、銀が７２〜８５％、銅が１５〜２８％のものが使用されている。金錫の場合は、その厚みは、１０〜４０μｍである。例えば、成分比率が、金が７８〜８２％、錫が１８〜２２％のものが使用されている。
【００５７】
ここで、基板１１０ａの作製方法について説明する。基板１１０ａがアルミナセラミックスから成る場合、まず所定のセラミック材料粉末に適当な有機溶剤等を添加・混合して得た複数のセラミックグリーンシートを準備する。また、セラミックグリーンシートの表面或いはセラミックグリーンシートに打ち抜き等を施して予め穿設しておいた貫通孔内に、従来周知のスクリーン印刷等によって所定の導体ペーストを塗布する。さらに、これらのグリーンシートを積層してプレス成形したものを、高温で焼成する。最後に、導体パターンの所定部位、具体的には、電極パッド１１１、外部端子１１２及び封止用導体パターン１１７となる部位にニッケルメッキ又、金メッキ、銀パラジウム等を施すことにより作製される。また、導体ペーストは、例えばタングステン、モリブデン、銅、銀又は銀パラジウム等の金属粉末の焼結体等から構成されている。
【００５８】
第二実施形態に係る水晶デバイスは、第一実施形態に記載の音叉型水晶素子１２０と、音叉型水晶素子１２０を実装するための電極パッド１１１を有する基板１１０ａと、基板１１０ａの上面の外周縁に沿って設けられた枠体１１０ｂと、枠体１１０ｂの上面に接合された蓋体１３０と、を備えている。このような水晶デバイスは、音叉型水晶素子１２０を励振させる際に発生した水晶振動部１２３の左右の重さのアンバランスを平衡部１２２の形成位置によって調整することで、振動漏れを抑えることができ、等価直列抵抗の悪化を低減することが可能となる。
【００５９】
尚、本発明は前記実施形態に限定されるものではなく、本発明の要旨を逸脱しない範囲において種々の変更、改良等が可能である。例えば、前記した本実施形態では、圧電振動素子を構成する圧電素材として水晶を用いた場合を説明したが、他の圧電素材として、ニオブ酸リチウム、タンタル酸リチウムまたは、圧電セラミックスを圧電素材として用いた圧電振動素子でも構わない。
【符号の説明】
【００６０】
１１０・・・パッケージ
１１０ａ・・・基板
１１０ｂ・・・枠体
１１１・・・電極パッド
１１２・・・外部端子
１１７・・・封止用導体パターン
１２０・・・音叉型水晶素子
１２１・・・水晶基部
１２２・・・平衡部
１２３・・・水晶振動部
１２４・・・振動腕部
１２５、１２６・・・励振電極
１２７・・・引き出し電極
１２８・・・錘部
１２９・・・周波数調整電極
１３０・・・蓋体
１３１・・・接合部材
１４０・・・導電性接着剤
Ｋ１・・・第一凹部
Ｍ１・・・第一切込み部
Ｍ２・・・第二切込み部
Ｍ３・・・第三切込み部
Ｃ・・・切欠き部
Ｇ・・・溝部
Ｒ１・・・第一残渣部
Ｒ２・・・第二残渣部
Ｓ１・・・水晶基部の外側側面とつながる平面
Ｓ２・・・傾斜面
ＳＰ・・・形成面
α・・・傾斜面の角度
Ｔ・・・凸部
【図１】
2019083435.tif 000003
【図２】
2019083435.tif 000004
【図３】
2019083435.tif 000005
【図４】
2019083435.tif 000006
【図５】
2019083435.tif 000007
【図６】
2019083435.tif 000008